(57)【要約】【課題】工数の少ない簡易な作業で、挟み式の工具の挟持力を利用しなくても、曲がりくねった状態の架空電線の充電部分等の充電体を自らの挟持力で挟んで外装することが可能な間接活線作業用防護シートを提供することを目的とする。【解決手段】間接活線作業用防護シート１は、絶縁性心材２と、絶縁性シート体３とで構成されている。絶縁性心材２は、弧状の条状体を成し、両端部２１、２１に相互に接近する力が働くようになっている。絶縁性シート体３は、絶縁性心材を収容可能な収容空間３３を有し、収容空間３３に絶縁性心材２が収容された絶縁性心材有り部位３１と、収容空間３３に絶縁性心材２が収容されない絶縁性心材無し部位３２とが、交互に配置されている。絶縁性シート体３は、間接活線工具の先端部や挟み式クリップの先端部を装着するために、橋梁形状の装着部４及び装着部５を備えている。【選択図】図１
2015022898.tif 000002
【特許請求の範囲】
【請求項１】
弧状の条状体を成し、両端に相互に接近する力が働く絶縁性心材と、
前記絶縁性心材を収容可能な収容空間を列状に配置した絶縁性シート体と
を有して構成され、
前記絶縁性シート体は、
前記収容空間に前記絶縁性心材が収容される部位と、前記絶縁性心材を備えない部位とを備えると共に、
前記絶縁性心材が前記収容空間に収容されて弧状となることで対峙する挟み部を有し、前記絶縁性心材の両端が相互に接近する力により充電体又は充電体に近接する器具を前記挟み部で挟んで保持することができることを特徴とする間接活線作業用防護シート。
【請求項２】
前記収容空間に前記絶縁性心材が収容される部位と、前記絶縁性心材を備えない部位とは、交互に配置されていることを特徴とする請求項１に記載の間接活線作業用防護シート。  
【請求項３】
前記絶縁性シート体の対峙する前記挟み部の双方の端部に、二股の先端部を有する間接活線工具の前記先端部又は挟み式クリップの先端部を装着することが可能な装着部が設けられていることを特徴とする請求項１又は請求項２に記載の間接活線作業用防護シート。
【請求項４】
前記絶縁性シート体の前記対峙する挟み部同士を繋ぐ中央部に、間接活線工具を装着することが可能な第２の装着部が設けられていることを特徴とする請求項１、請求項２又は請求項３のいずれかに記載の間接活線作業用防護シート。
【発明の詳細な説明】
【技術分野】
【０００１】
この発明は、間接活線作業において、感電防止や地絡・短絡事故の防止を図るために、架空電線の充電部分等の所要の充電体又は充電体に近接する器具に外装する防護シートの構成に関する。
【背景技術】
【０００２】
間接活線作業において、感電防止や地絡・短絡事故の防止を図るために、例えば特許文献１に示されるような絶縁被覆材が一般的に用いられている。この特許文献１に示される絶縁被覆材は、シート状本体を広げて架空電線の充電部分等に上方から被せ、シート状本体の双方の端部からそれぞれ延びる帯に設けられた面ファスナーと面ファスナーとを接合して、シート状本体を略筒状とすることで、架空電線の充電部分等を覆うことができるものとなっている。
【０００３】
しかしながら、前記特許文献１に示される絶縁被覆材では、広げた状態のシート状本体を架空電線の充電部分等に被せる前に面ファスナーの余分となった部分が不用意にシート状本体に接合したり、面ファスナーが予定していた位置からずれてシート状本体に接合されたりした場合には、面ファスナーを剥がして、シート状本体を広げ直したり、面ファスナーの接合をやり直したりする必要がある。
【０００４】
また、架空電線の充電部分は、Ｓ字状の蛇行等のように曲がりくねった状態である場合が多いのに対し、前記特許文献１に示される絶縁被覆材は、このような曲がりくねった架空電線の充電部分に沿うように柔軟に変形し難いので、曲がりくねった架空電線の充電部分への装着が容易ではない。
【０００５】
尚、特許文献１に示される絶縁被覆材では、シート状本体で架空電線の充電部分を被覆した後、シート状本体がずれないように、クリップでシート状本体を外側から止める作業も行われる。
【０００６】
これに対し、本願出願人は、特許文献２に示されるように、架空電線の充電部分を、２つ折りにした絶縁性のシート状部材内に納めて、外側から挟み式クリップで留める構成の電線防護シートに係る発明について、出願して公知としている。この特許文献２に示される電線防護シートについて概説すると、シート状部材は、２つ折りの折り線の伸長方向に折り込まれて蛇腹状とされた折り込み部となっており、挟み式クリップは、前記シート状部材の両側端部にそれぞれ配置されるもので、前記挟み式クリップの挟み部の先端は、前記シート状部材の外側面でかつ２つ折りの解放端寄り位置の近傍それぞれ固着することで前記シート状部材に取り付けられるものとなっている。
【０００７】
また、本願出願人は、例えば特許文献３に示されるように、クリップを用いることなく防護対象物を防護することを目的とした防護カバーに係る発明について、出願して公知としている。この特許文献３に示される防護カバーについて概説すると、絶縁素材によって構成されると共に防護対象物を内側に係入させて包囲するカバー本体を備え、このカバー本体は、防護対象物を包囲する形状を有する胴部と、前記胴部の少なくとも一端部に一体に設けられると共に前記胴部が防護対象物を包囲する包囲状態を維持すべくこの胴部を保形する保形部とを備えたものとなっている。
【先行技術文献】
【特許文献】
【０００８】
【特許文献１】実開平７−９０１１号公報
【特許文献２】特開２０１２−１６１１９６号公報
【特許文献３】特開２００８−２９３６６４号公報
【発明の概要】
【発明が解決しようとする課題】
【０００９】
もっとも、前記特許文献２に示される電線防護シートにおいては、この特許文献２の図２及び図３に示されるように、シート状部材の両端を近接させて閉じ、シート状部材が閉じた状態を維持するためには、挟み式クリップのリングバネの挟持力を主に利用する必要がある。このため、挟み式クリップが外れた場合には、シート状部材が開いて、電線防護シートが架空電線の充電部分から外れてしまうことが懸念される。
【００１０】
また、前記特許文献３に示される防護カバーにおいては、カバー本体胴部と蓋部とで防護対象物の全周を包囲して防護対象物を防護するために、この特許文献３の段落番号「００３４」から「００３６」に示されるように、注入口から所定の注入室に空気等を注入するステップと、防護カバーを膨らませて所定の形状にするステップと、操作棒等の間接活線用作業工具で保形部の２つの端部を掴んで拡げるステップと、保形部の２つの端部の間に防護対象物を通過させ、カバー本体の内側に防護対象物が入った状態とするステップと、保形部を掴んでいた間接活線用作業工具を離して、拡げられていた保形部を元の形状に戻し、保形部の２つの端部同士の間隔が防護対象物の幅よりも小さくするステップと、蓋部によってカバー本体の開放部分を塞ぐステップとを要する。このため、特許文献３に示される防護カバーでは、防護対象物を防護するための作業が煩雑になるという懸念がある。
【００１１】
しかも、特許文献２に示される電線防護シートや、特許文献３に示される防護カバーの構成でも、Ｓ字状の蛇行等のように曲がりくねった架空電線の充電部分等の充電体に沿うように柔軟に変形することが容易とは認められないので、曲がりくねった架空電線の充電部分等の充電体への装着が好適であるとは認められない。
【００１２】
そこで、本発明は、工数の少ない簡易な作業で、挟み式の工具の挟持力を利用しなくても、曲がりくねった状態の架空電線の充電部分等の充電体を自らの挟持力で挟んで外装することが可能な間接活線作業用防護シートを提供することを目的とする。
【課題を解決するための手段】
【００１３】
この発明に係る間接活線作業用防護シートは、弧状の条状体を成し、両端に相互に接近する力が働く絶縁性心材と、前記絶縁性心材を収容可能な収容空間を列状に配置した絶縁性シート体とを有して構成され、前記絶縁性シート体は、前記収容空間に前記絶縁性心材が収容される部位と、前記絶縁性心材を備えない部位とを備えると共に、前記絶縁性心材が前記収容空間に収容されて弧状となることで対峙する挟み部を有し、前記絶縁性心材の両端が相互に接近する力により充電体又は充電体に近接する器具を前記挟み部で挟んで保持することができることを特徴としている（請求項１）。ここで、絶縁性心材は、例えばプラスチック、合成樹脂製の発泡体等の、ある程度の復元力を備えた絶縁素材で形成されている。絶縁性シート材は、耐候性、防水性に優れた絶縁素材で形成されている。収容空間の形状は、予め絶縁性心材の弧状の条状体の形状に合せて湾曲した状態であっても、直線状であっても良い。更に、収容空間は、絶縁性心材の外面に絶縁性シート材をコーティングにより形成することで結果的に形成されるものであっても良い。絶縁性心材を備えない部位とは、絶縁性心材を収容可能な収容空間がない部位であっても、収容空間があっても絶縁性心材が収容されていない部位であっても良い。そして、充電体とは、例えば架空電線の充電部分、通電状態の引込み線、通電状態の高圧引下線をいい、充電体に近接する器具には、電柱の腕金、高圧ピン碍子等が該当する。
【００１４】
これによって、間接活線作業用防護シートの挟み部において、絶縁性シート材に内蔵された絶縁性心材の両端の相互に接近する力を利用して、充電体又は充電体に近接する器具を挟んで保持することができる。
【００１５】
そして、この発明に係る間接活線作業用防護シートでは、前記収容空間に前記絶縁性心材が収容される部位と、前記絶縁性心材を備えない部位とは、交互に配置されていることを特徴としている（請求項２）。
【００１６】
これによって、間接活線作業用防護シートは、絶縁性心材が収容されることで肉厚の厚い部位と、絶縁性心材を備えないことで肉厚の薄い部位とを交互に有する凹凸（蛇腹）形態となるので、肉厚の薄い部位を間接活線作業用防護シートの厚み方向の双方に自在に曲げることが可能となる。このため、曲がりくねった状態の架空電線の充電部分等の充電体に沿って変形させることができるので、間接活線作業用防護シートの絶縁性シート材を曲がりくねった状態の架空電線の充電部分等の充電体に対し好適に外装することができる。
もっとも、曲がりくねった状態の架空電線の充電部分等の充電体に外装できれば良いのであるから、収容空間に前記絶縁性心材が収容される部位と絶縁性心材を備えない部位との配置は交互に配置されている場合に限定されず、２つの絶縁性心材を備えない部位間に、収容空間に絶縁性心材が収容される部位が２以上連続して配置されても、反対に、２つの収容空間に絶縁性心材が収容される部位間に、絶縁性心材を備えない部位が２以上連続して配置されても良い。
【００１７】
また、この発明に係る間接活線作業用防護シートでは、前記絶縁性シート体の対峙する前記挟み部の双方の端部に、二股の先端部を有する間接活線工具の前記先端部又は挟み式クリップの先端部を装着することが可能な装着部が設けられていることを特徴としている（請求項３）。装着部は、例えば、一の収容空間に絶縁性心材が収容される部位の端部の外面に一端が接合し、他の収容空間に絶縁性心材が収容される部位の端部の外面に他端が接合し、中間部位は絶縁性心材を備えない部位の端部の外面から離隔された状態となる橋梁形状となっている。
【００１８】
これによって、例えば架空電線の充電部分に間接活線作業用防護シートを外装するために、二股の先端部を有する間接活線工具の一例として絶縁ヤットコを用いるにあたり、先端部を構成する固定側把持部と可動側把持部とをそれぞれ装着部に装着することにより、絶縁ヤットコの操作で、絶縁性シート体の一対の挟み部を、絶縁性心材の両端が相互に接近する力に抗して開いたり閉じたりすることが可能となって、間接活線作業用防護シートの架空電線の充電部分への外装作業又は間接活線作業用防護シートの架空電線の充電部分の取り外し作業が簡便化する。
また、例えば架空電線の充電部分に外装された間接活線作業用防護シートを挟み式クリップで固定する場合に、挟み式クリップの一対の先端部たる挟み部をそれぞれ装着部に装着することにより、挟み式クリップが絶縁性シート体から外れ難くすることができる。
しかも、装着部を橋梁形状とすることにより、絶縁ヤットコの固定側把持部と可動側把持部とを装着部に装着したり、挟み式クリップの一対の先端部を装着部に装着したりするときに、装着部と絶縁性シート体の絶縁性心材を備えない部位の外面との間に相対的に大きな隙間ができるので、絶縁ヤットコの固定側把持部及び可動側把持部や挟み式クリップの一対の先端部の装着部への装着を簡易に行うことが可能となる。
【００１９】
更に、この発明に係る間接活線作業用防護シートでは、前記絶縁性シート体の前記対峙する挟み部同士を繋ぐ中間部に、間接活線工具を装着することが可能な第２の装着部が設けられていることを特徴としている（請求項４）。第２の装着部は、例えば、一の収容空間に絶縁性心材が収容される部位の中間部の外面に一端が接合し、他の収容空間に絶縁性心材が収容される部位の中間部の外面に他端が接合し、中間部位は絶縁性心材を備えない部位の中間部の外面から離隔された状態となる橋梁形状となっている。
【００２０】
これにより、例えば架空電線の充電部分に間接活線作業用防護シートを外装するために、二股の先端部を有する間接活線工具の一例として絶縁ヤットコを用いるにあたり、先端部を構成する固定側把持部又は可動側把持部の一方を第２の装着部に装着することにより、絶縁ヤットコを架空電線の充電部分に向けて下げていくと、架空電線の充電部分に当たった絶縁性シート体の一対の挟み部は、絶縁性心材の両端が相互に接近する力に抗して開いた後、絶縁性シート体の一対の挟み部の端部よりも中央側に架空電線の充電部分が変位したときには、挟み部の端部は絶縁性心材の両端が相互に接近する力により閉じた状態となるので、一対の挟み部で架空電線の充電部分を挟んで保持することが可能となり、間接活線作業用防護シートの架空電線の充電部分への外装作業が簡便化する。
しかも、第２の装着部を橋梁形状とすることにより、絶縁ヤットコの固定側把持部又は可動側把持部を第２の装着部に装着するときに、第２の装着部と絶縁性シート体の絶縁性心材を備えない部位の外面との間に相対的に大きな隙間ができるので、絶縁ヤットコの固定側把持部又は可動側把持部の第２の装着部への装着を簡易に行うことが可能となる。
【発明の効果】
【００２１】
以上のように、この発明に係る間接活線作業用防護シートによれば、挟み式のクリップ等の固定具の力を利用しなくても、絶縁性シート材に内蔵された絶縁性心材の両端の相互に接近する力を利用して、絶縁性シート材の一対の挟み部の開閉動作で充電体又は充電体に近接する器具を挟んで保持することができるので、簡易な作業にて充電体又は充電体に近接する器具を外装することが可能となり、挟み式クリップ等の固定具が外れても、直ちに絶縁性シート材が外れることもなくなる。
【００２２】
特に請求項２に記載の間接活線作業用防護シートによれば、間接活線作業用防護シートは、絶縁性心材が収容されることで肉厚の厚い部位と、絶縁性心材を備えないことで肉厚の薄い部位とが交互に有する蛇腹形態となるため、肉厚の薄い部位を間接活線作業用防護シートの厚み方向のいずれへも自在に曲げることが可能となることから、曲がりくねった状態の架空電線の充電部分等の充電体に沿って変形させることができるので、間接活線作業用防護シートの絶縁性シート材を曲がりくねった状態の架空電線の充電部分等の充電体に対し好適に外装することが可能である。
【００２３】
特に請求項３に記載の間接活線作業用防護シートによれば、例えば架空電線の充電部分に間接活線作業用防護シートを外装するために、二股の先端部を有する間接活線工具の一例として絶縁ヤットコを用いるにあたり、先端部を構成する固定側把持部と可動側把持部とをそれぞれ装着部に装着することにより、絶縁ヤットコの操作で、絶縁性シート体の一対の挟み部を、絶縁性心材の両端が相互に接近する力に抗して開いたり閉じたりすることが可能となって、間接活線作業用防護シートの架空電線の充電部分への外装作業又は間接活線作業用防護シートの架空電線の充電部分の取り外し作業を簡便化させることができる。
【００２４】
また、特に請求項３に記載の間接活線作業用防護シートによれば、例えば架空電線の充電部分に外装された間接活線作業用防護シートを挟み式クリップで固定する場合に、挟み式クリップの一対の先端部たる挟み部をそれぞれ装着部に装着することにより、挟み式クリップが絶縁性シート体から外れ難くすることができる。
【００２５】
特に請求項４に記載の間接活線作業用防護シートによれば、例えば架空電線の充電部分に間接活線作業用防護シートを外装するために、二股の先端部を有する間接活線工具の一例として絶縁ヤットコを用いるにあたり、先端部を構成する固定側把持部又は可動側把持部の一方を第２の装着部に装着することにより、絶縁ヤットコを架空電線の充電部分に向けて下げていくと、架空電線の充電部分に当たった絶縁性シート体の一対の挟み部は、絶縁性心材の両端が相互に接近する力に抗して開いた後、絶縁性シート体の一対の挟み部の端部よりも中央側に架空電線の充電部分が変位したときには、挟み部の端部は絶縁性心材の両端が相互に接近する力により閉じた状態となるので、一対の挟み部で架空電線の充電部分を挟んで保持することが可能となり、間接活線作業用防護シートの架空電線の充電部分への外装作業を簡便化させることができる。
【図面の簡単な説明】
【００２６】
【図１】図１は、この発明に係る間接活線作業用防護シートの一例を示す説明図であり、図１（ａ）は間接活線作業用防護シートの平面図、図１（ｂ）は間接活線作業用防護シートの側面図、図１（ｃ）は間接活線作業用防護シートの底面図、図１（ｄ）は間接活線作業用防護シートの正面図である。
【図２】図２は、図１に示される間接活線作業用防護シートの拡大断面図であり、図２（ａ）は間接活線作業用防護シートの絶縁性心材が収容空間に収容された部位を示す拡大断面図、図２（ｂ）は間接活線作業用防護シートの絶縁性心材が収容空間に収容さない部位を示す拡大断面図である。
【図３】図３は、図１に示される間接活線作業用防護シートの装着部に絶縁ヤットコを予め装着して架空電線の充電部分に間接活線作業用防護シートを接近させる工程を示す説明図であり、図３（ａ）は絶縁ヤットコに装着された状態の間接活線作業用防護シートの側面図、図３（ｂ）は絶縁ヤットコに装着された状態の間接活線作業用防護シートの背面図である。
【図４】図４は、図１に示される間接活線作業用防護シートの装着部に挟み式クリップを予め装着した後に、架空電線の充電部分に間接活線作業用防護シートを固定した状態を示す説明図であり、図４（ａ）は挟み式クリップで架空電線の充電部分に固定された状態の間接活線作業用防護シートの側面図、図４（ｂ）は挟み式クリップで架空電線の充電部分に固定された状態の間接活線作業用防護シートの背面図である。
【図５】図５は、蛇行した状態の架空電線の充電部分に複数の挟み式クリップで固定された状態の間接活線作業用防護シートを示す説明図である。
【図６】図６は、図１に示される間接活線作業用防護シートの第２の装着部に絶縁ヤットコを予め装着して架空電線の充電部分に間接活線作業用防護シートを接近させ、外装する工程を示す説明図であり、図６（ａ）は絶縁性シート材の挟み部が開いていない状態を示す側面図、図６（ｂ）は絶縁性シート材の挟み部が架空電線の充電部分で拡げられた状態を示す側面図、図６（ｃ）は絶縁性シート材の挟み部が架空電線の充電部分を外装した状態を示す側面図である。
【発明を実施するための形態】
【００２７】
以下、この発明の実施形態を図面に基づいて説明する。
【００２８】
図１及び図２において、この発明に係る間接活線作業用防護シート１の一例が示されている。間接活線作業用防護シート１は、間接活線作業において、感電防止や地絡・短絡事故の防止を図るために、図３から図６に示される架空電線の充電部分や、通電状態の引込み線、通電状態の高圧引下線等の充電体Ａ、並びに、電柱の腕金、高圧ピン碍子等の充電体Ａに近接する器具に外装するのに好適なシートである。この間接活線作業用防護シート１は、特に図２（ａ）に示されるように、絶縁性心材２とこの絶縁性心材２を包む絶縁性シート材３とで構成されている。
【００２９】
絶縁性心材２は、例えばプラスチック、合成樹脂製の発泡体等の、変形しても元の状態に戻る復元力を有する絶縁素材で形成されたもので、図２（ａ）に示されるように、弧状（この実施例では略Ｕ字状ないし馬蹄状）の条状体を成し、両端部２１、２１は相互に接近する力（挟持力）が働くものとなっている。
【００３０】
絶縁性シート材３は、間接活線作業用防護シート１が屋外に設置されることに伴い、耐候性、防水性に優れた絶縁素材で形成されたもので、長手方向寸法が約５０ｃｍ若しくは約８０ｃｍであり、既存の間接活線作業用の防護シート等と同様の長手方向寸法となっている。そして、絶縁性シート材３は、図２（ａ）に示される、絶縁性心材２が内蔵された絶縁性心材有り部位３１と、図２（ｂ）に示される、絶縁性心材２が内蔵されない絶縁性心材無し部位３２とを有している。
【００３１】
絶縁性心材有り部位３１は、この実施例では、図２（ａ）に示されるように、絶縁性シート材３の長手方向に沿って列状に配置された袋状の収容空間３３に、絶縁性心材２を収容することで形成されている。これにより、絶縁性心材２が収容された絶縁性心材有り部位３１は、絶縁性心材２の形状に合せて、対峙する挟み部３４、３４と、一方の挟み部３４と他方の挟み部３４とを繋ぐ中間部３６とを備えた弧形状（この実施例では略Ｕ字形状ないし馬蹄形状）となり、その肉厚も相対的に厚くなっている。
【００３２】
挟み部３４、３４間には、充電体Ａを保持するための保持用空間３７が形成されている。保持用空間３７は、図２（ａ）に示されるように、絶縁性心材有り部位３１の中間部３６側から挟み部３４、３４の端側に向けて延び、挟み部３４、３４間に開口部３８を有している。
【００３３】
保持用空間３７の内幅寸法は、開口部３８から中間部３６側に進むに従い、徐々に大きくなった後、絶縁性心材有り部位３１の略中央位置からは中間部３６側に進むに従い徐々に小さくなっている。すなわち、保持用空間３７は、略楕円形状（略両凸レンズ形状）をなしている。そして、保持用空間３７の通常時（閉時）での最大内幅寸法は、充電体Ａの外径寸法よりも小さくなるように設定されていると共に、両挟み部３４、３４は、内蔵する絶縁性心材２の端部２１、２２により、端部が相互に接近する方向に付勢されている。これにより、挟み部３４、３４間の保持用空間３７の通常時（閉時）における最も内幅寸法が大きな部位でも、充電体Ａを挟み部３４、３４で挟んで保持することが可能になっている。
【００３４】
絶縁性心材無し部位３２は、この実施例では、図２（ｂ）に示されるように、絶縁性シート材３の長手方向に沿って列状に配置されて成る、閉塞された袋状の収容空間３３に、絶縁性心材２を収容しないことで形成されている。すなわち、絶縁性心材無し部位３２は、絶縁性シート材３の収容空間３３の内壁を構成する内面同士が接しており、肉厚も相対的に薄くなっている。その一方で、絶縁性心材有り部位３１は、近接する絶縁性心材有り部位３１とは同じ絶縁性シート材３が用いられるものであるから、絶縁性心材有り部位３１の形状に合せて、図２（ｂ）に示されるように、弧形状（この実施例では略Ｕ字形状ないし馬蹄形状）をなしている。尚、絶縁性心材無し部位３２の対峙する部位は、絶縁性心材２を収容空間３３に内蔵していないので、絶縁性心材有り部位３１の挟み部３４、３４とは異なり、それ自体では充電体Ａを挟む機能を有しないものとなっている。更に、絶縁性心材無し部位３２の側方外面は、絶縁性心材有り部位３１の側方外面に対し若干内側に窪んだ位置になっている。
【００３５】
間接活線作業用防護シート１は、この実施例では、図１に示されるように、絶縁性シート材３について、長手方向の端から、絶縁性心材有り部位３１、絶縁性心材無し部位３２、絶縁性心材有り部位３１の順で、絶縁性心材有り部位３１と絶縁性心材無し部位３２とが交互に配置されており、絶縁性心材無し部位３２の側方外面は、絶縁性心材有り部位３１の側方外面に対し若干内側に窪んだ位置になっているので、複数の凹凸を有する蛇腹形態となっている。このため、間接活線作業用防護シート１は、各絶縁性心材無し部位３２において、その厚み方向（保持用空間３７の内幅方向）の双方に自在に曲げることが可能となっている。
【００３６】
これにより、図５に示されるように、充電体Ａの一例たる架空電線等の充電部分が略Ｓ字状に曲がりくねった状態であっても、各絶縁性心材無し部位３２を間接活線作業用防護シート１の所要の厚み方向に曲げることにより、間接活線作業用防護シート１を架空電線等の充電部分に沿って外装させることが可能である。
【００３７】
そして、間接活線作業用防護シート１は、この実施例では、特に図１に示されるように、絶縁性シート材３の長手方向の最も端側に位置する絶縁性心材有り部位３１、３１（以下、端側の絶縁性心材有り部位３１。）とこの端側の絶縁性心材有り部位３１、３１に対し１つ中央側に位置する絶縁性心材有り部位３１、３１（以下、２番目の絶縁性心材有り部位３１。）との間に装着部４、４を有している。装着部４は、一端が端側の縁性心材有り部位３１の挟み部３４の端側の外面に接合し、他端が２番目の絶縁性心材有り部位３１の挟み部３４の端側の外面に接合し、中間部位が絶縁性心材無し部位３２とは非接合で絶縁性心材無し部位３２との間に隙間を有する、橋梁（ブリッジ）形状となっている。
【００３８】
これにより、図３に示される間接活線工具の１種である絶縁ヤットコ１００の固定側把持部１０１や可動側把持部１０２、又は図４に示される挟み式クリップの一種であるシートクリップ２００の挟み部２０１、２０１を、装着部４と絶縁性心材無し部位３２との隙間に挿入することで、絶縁ヤットコ１００やシートクリップ２００を装着部４に装着することが可能である。
【００３９】
また、間接活線作業用防護シート１は、この実施例では、特に図１に示されるように、２番目の絶縁性心材有り部位３１とこの２番目の絶縁性心材有り部位３１、３１に対し１つ中央側に位置する絶縁性心材有り部位３１、３１（以下、３番目の絶縁性心材有り部位３１。）との間に装着部５、５を有している。装着部５は、一端が２番目の絶縁性心材有り部位３１の中間部３６の外面に接合し、他端が３番目の絶縁性心材有り部位３１の中間部３６の外面に接合し、中間部位が絶縁性心材無し部位３２とは非接合で絶縁性心材無し部位３２との間に隙間を有する、橋梁（ブリッジ）形状となっている。
【００４０】
これにより、図３に示される間接活線工具の１種である絶縁ヤットコ１００の固定側把持部１０１又は可動側把持部１０２を、装着部５と絶縁性心材無し部位３２との隙間に挿入することで、絶縁ヤットコ１００を装着部５に装着することが可能である。
【００４１】
尚、図３や図６に示される絶縁ヤットコ１００、及び図４や図５に示されるシートクリップ２００は公知のものであるので、その構成の説明は省略した。
【００４２】
次に、図３から図６を用いて、間接活線作業用防護シート１を充電体Ａの一例である架空電線等の充電部分に外装する工程の幾つかについて説明する。
【００４３】
図３では、間接活線作業用防護シート１を充電体Ａの一例である架空電線等の充電部分に外装するときに、絶縁ヤットコ１００を用いる工程について示されている。
【００４４】
まず、間接活線作業用防護シート１の装着部４、４に、絶縁ヤットコ１００の固定側把持部１０１と可動側把持部１０２とを予め装着する。これにより、絶縁ヤットコ１００の図示しないハンドルを操作して、可動側把持部１０２を固定側把持部１０１に遠近させる開閉動作を行うことで、端側の絶縁性心材有り部位３１と２番目の絶縁性心材有り部位３１の挟み部３４、３４も連動して開閉させることが可能となる。
【００４５】
次に、可動側把持部１０２を固定側把持部１０１から開いて、端側の絶縁性心材有り部位３１と２番目の絶縁性心材有り部位３１の挟み部３４、３４も開いた状態として、絶縁ヤットコ１００を図３（ａ）の矢印で示すように、充電体Ａに向けて上方に変位させる。更に、充電体Ａが挟み部３４、３４の間の保持用空間３７内に開口部３８から入ったときに、可動側把持部１０２を固定側把持部１０１に向けて閉じて、端側の絶縁性心材有り部位３１と２番目の絶縁性心材有り部位３１の挟み部３４、３４も閉じた状態にする。そして、間接活線作業用防護シート１の他の絶縁性心材有り部位３１や絶縁性心材無し部位３２では、充電体Ａに押し込む等の作業が行われる。最後に、絶縁ヤットコ１００の固定側把持部１０１と可動側把持部１０２とを装着部４、４から外す。これにより、各絶縁性心材有り部位３１の挟み部３４、３４で充電体Ａが挟まれた状態となるので、充電体Ａは絶縁性心材２の力により保持される。
【００４６】
尚、挟み部３４、３４の間の開口部３８が充電体Ａの外径寸法よりも大きく開いて、間接活線作業用防護シート１が脱落する危険性をなくすために、充電体Ａを間接活線作業用防護シート１の絶縁性シート材３で外装した後に、シートクリップ２００の挟み部２０１、２０２を間接活線作業用防護シート１の装着部４、４に装着することで、図５に示されるように、シートクリップ２００によっても絶縁性シート材３を挟んで保持することが好ましい。
【００４７】
図４では、間接活線作業用防護シート１を充電体Ａの一例である架空電線等の充電部分に外装するときに、シートクリップ２００を予め間接活線作業用防護シート１に装着して行う工程について示されている。
【００４８】
まず、間接活線作業用防護シート１の装着部４、４に、シートクリップ２００の挟み部２０１、２０２を予め装着する。これにより、挟み部２０１、２０２と連接した基部２０３、２０４を遠近させることで、挟み部２０１、２０２を開閉させ、端側の絶縁性心材有り部位３１と２番目の絶縁性心材有り部位３１の挟み部３４、３４を連動して開閉させることが可能となる。
【００４９】
次に、図３に示されるような絶縁ヤットコ１００を用い、固定側把持部１０１と可動側把持部１０２とで基部２０３、２０４の双方を挟む。これにより、シートクリップ２００の挟み部２０１、２０２、ひいては間接活線作業用防護シート１の端側の絶縁性心材有り部位３１と２番目の絶縁性心材有り部位３１の挟み部３４、３４が開いた状態となる。そして、絶縁ヤットコ１００を充電体Ａに向けて上方に変位させる。更に、充電体Ａが挟み部３４、３４の間の保持用空間３７内に開口部３８から入ったときに、絶縁ヤットコ１００をシートクリップ２００の基部２０３、２０４から外す。これにより、シートクリップ２００の挟み部２０１、２０２が閉じて、端側の絶縁性心材有り部位３１と２番目の絶縁性心材有り部位３１の挟み部３４、３４も閉じる。なお、間接活線作業用防護シート１の他の絶縁性心材有り部位３１や絶縁性心材無し部位３２では、絶縁ヤットコ１００のシートクリップ２００からの取り外し作業に前後して、充電体Ａに押し込む等の作業が行われる。これにより、充電体Ａは各絶縁性心材有り部位３１の挟み部３４、３４で挟まれると同時に、図５に示されるように、シートクリップ２００の挟み部２０１、２０２によっても挟まれた状態となるので、充電体Ａは絶縁性心材２の挟持力のみならずシートクリップ２００の挟持力によっても保持される。よって、充電体Ａへの間接活線作業用防護シート１の外装もより確実に行うことが可能となる。しかも、後からシートクリップ２００を間接活線作業用防護シート１の装着部４、４に装着する必要もなくなるので、工数の削減を図ることもできる。
【００５０】
図６では、間接活線作業用防護シート１を充電体Ａの一例である架空電線等の充電部分に外装するときに、絶縁ヤットコ１００を用いるが、図３とは異なる工程について示されている。
【００５１】
まず、間接活線作業用防護シート１の装着部５に、絶縁ヤットコ１００の固定側把持部１０１又は可動側把持部１０２（図６では可動側把持部１０２）を予め装着する。これにより、間接活線作業用防護シート１は、図６（ａ）に示されるように、絶縁ヤットコ１００の可動側把持部１０２から垂下した状態となる。次に、絶縁ヤットコ１００を図６（ａ）の矢印に示される方向に降ろしていき、各絶縁性心材有り部位３１の挟み部３４、３４の端が充電体Ａに当接した後も降ろし続ける。これにより、図６（ｂ）に示されるように、各絶縁性心材有り部位３１（特に２番目の絶縁性心材有り部位３１と３番目の絶縁性心材有り部位３１）の開口部３８が開き、充電体Ａが挟み部３４、３４間の保持用空間３７内に入っていく。そして、図６（ｃ）に示されるように、充電体Ａが挟み部３４、３４間の保持用空間３７の中央部位に達したときに、絶縁ヤットコ１００の可動側把持部１０２を間接活線作業用防護シート１の装着部５から外す。更に、必要に応じて、間接活線作業用防護シート１の他の絶縁性心材有り部位３１や絶縁性心材無し部位３２では、充電体Ａに押し込む等の作業が行われる。これにより、各絶縁性心材有り部位３１の挟み部３４、３４で充電体Ａが挟まれた状態となるので、充電体Ａは絶縁性心材２の力により保持される。
【００５２】
尚、この実施例でも、充電体Ａを間接活線作業用防護シート１の絶縁性シート材３で外装した後に、シートクリップ２００の挟み部２０１、２０２を間接活線作業用防護シート１の装着部４、４に装着することで、図５に示されるように、シートクリップ２００によっても絶縁性シート材３を挟んで保持することが好ましい。
【００５３】
また、充電体Ａの長手方向寸法が間接活線作業用防護シート１の長手方向寸法よりも大きな場合には、間接活線作業用防護シート１同士の端部を接続して長尺体とすることができ、この場合、装着部４、５は軟らかい素材で形成されており、絶縁性シート材３に接するように座屈させることができるので、装着部４、５が間接活線作業用防護シート１、１の端部を接続するために重ね合せても障害となることはない。
【００５４】
更に、絶縁性心材有り部位３１は、予め形成された袋状の収容空間３３に後から絶縁性心材２を収容することで形成するものであっても良いが必ずしもこれに限定されず、例えば絶縁性心材２を一列に間隔を空けて配置した後、全ての絶縁性心材２をコーティング等で包むことで形成するものであっても良い。
【００５５】
更にまた、図３から図６において、架空電線の充電部分を外装する使用例について図示してきたが必ずしもこの使用例に限定されず、間接活線作業用防護シート１は、既存の防護シートを用いてきたあらゆる場所で使用することが可能なものであり、スリーブカバーの代用としたり、高圧引下線の防護に使用したり、電柱の腕金に装着したり、高圧ピン碍子の防護に使用したりすることができる。
【符号の説明】
【００５６】
１  間接活線作業用防護シート
２  絶縁性心材
２１  端部
３  絶縁性シート材
３１  絶縁性心材有り部位
３２  絶縁性心材無し部位
３３  収容空間
３４  挟み部
３６  中間部
３７  保持用空間
３８  開口部
４  装着部
５  装着部（第２の装着部）
１００  絶縁ヤットコ（二股の先端部を有する間接活線工具）
１０１  固定側把持部（先端部）
１０２  可動側把持部（先端部）
２００  シートクリップ（挟み式クリップ）
２０１  挟み部（先端部）
２０２  挟み部（先端部）
Ａ  充電体
【図１】
2015022898.tif 000003
【図２】
2015022898.tif 000004
【図３】
2015022898.tif 000005
【図４】
2015022898.tif 000006
【図５】
2015022898.tif 000007
【図６】
2015022898.tif 000008